(57)【要約】【課題】マッサージ体が患部に適切な刺激を付与することのでき、かつ身体表面の複雑な曲面に合わせてマッサージ体が円滑に移動でき、かつマッサージ体に無理なく加圧することができるマッサージ器を提供する。【解決手段】外周面が凹凸に形成された略球状の複数のマッサージ体２と、これら複数のマッサージ体２の中心を通り各マッサージ体を回転自在に支持する可撓性を有する支持軸３と、該支持軸の両端部に直接または間接的にそれぞれ固定された一対の把手４とを具備するマッサージ器とする。【選択図】図１
2007222229.tif 000002
【特許請求の範囲】
【請求項１】
外周面が凹凸に形成された略球状の複数のマッサージ体と、これら複数のマッサージ体の中心を通り各マッサージ体を回転自在に支持する可撓性を有する支持軸と、該支持軸の両端部に直接または間接的にそれぞれ固定された一対の把手とを具備することを特徴とするマッサージ器。
【請求項２】
前記支持軸が平行に複数本設けられ、各支持軸に前記マッサージ体が転動自在に支持されている請求項１に記載のマッサージ器
【発明の詳細な説明】
【技術分野】
【０００１】
この発明は、ふくらはぎ、大腿部、背中等をマッサージするのに適したマッサージ器に関する。
【背景技術】
【０００２】
支持軸回り回転自在なマッサージ体を患部（施療箇所）に押し当てて回転させながら移動させることにより、被施療者自身で手軽に身体各部のマッサージを行うことのできるマッサージ器が各種提案されている（例えば特許文献１〜４）。
【特許文献１】特開平５―２９３１４４号公報
【特許文献２】特開平７−２４１３２４号公報
【特許文献３】特開平８−２５２２９０号公報
【特許文献４】特開平１１−２６７１６７号公報
【発明の開示】
【発明が解決しようとする課題】
【０００３】
この種の回転式のマッサージ体を用いたマッサージ器の場合、施療者の負担が少なく、高い施療効果が得られるようにするには、以下の要件を満たしている必要がある。第１に、マッサージ体が、患部に適切な刺激を付与することのできる形態をしていることである。第２に、身体表面の複雑な曲面に合わせてマッサージ体が円滑に移動できることである。第３に、マッサージ体に無理なく加圧することができることである。
【０００４】
従来のマッサージ器は、これらの要件を全て満足するものではなく、施療効果が不十分であったり、あるいは施療行為のため身体的な負担を強いられたり、あるいは患部によって本人では施療行為を行うこと自体が難しいといった何らかの問題を有していた。
【０００５】
本発明は、前記要件を全て満たして、施療者（＝被施療者）の負担が少なく、高い施療効果が得られるマッサージ器を提供することを課題としている。
【課題を解決するための手段】
【０００６】
上記課題を解決するために、本発明は次の構成とした。すなわち、本発明にかかるマッサージ器は、外周面が凹凸に形成された略球状の複数のマッサージ体と、これら複数のマッサージ体の中心を通り各マッサージ体を回転自在に支持する可撓性を有する支持軸と、該支持軸の両端部に直接または間接的にそれぞれ固定された一対の把手とを具備することを特徴としている。
【０００７】
この構成によるマッサージ器は、マッサージ体が、外周面が凹凸に形成された略球状をしているため、マッサージ体が点で患部に接し、患部に刺激を集中して与えることができ、かつ、外周面の凹凸により効果的に刺激を与えることができる。マッサージ体が球形であると、肩甲骨の下側部分等のような凹んだ箇所にもマッサージを行うこともできる。また、複数のマッサージ体が可撓性を有する支持軸に回転自在に支持されているため、身体の外面形状に沿わせて各マッサージ体を患部に接触させることができ、施療効果の高いマッサージを行うことができる。さらに、支持軸の両端部に一対の把手が設けられているので、両手でマッサージ器をつかんで施療行為を行うことができ、マッサージ体による患部への加圧加減の調整が容易であり、腕にかかる負担が少ない。しかも、両手でマッサージ器をつかんでマッサージ器を操作することができるため、被施療者自身で背中のマッサージを行うことができる。
【０００８】
上記発明の構成において、前記支持軸が平行に複数本設けられ、各支持軸に前記マッサージ体が転動自在に支持されている構成とすると、一度の操作で広い面積のマッサージを行うことができ効率が良い。
【発明の効果】
【０００９】
本発明にかかるマッサージ器は、マッサージ体が患部に適切な刺激を付与することができ、かつ身体表面の複雑な曲面に合わせてマッサージ体が円滑に移動でき、かつマッサージ体に無理なく加圧することができるものであるため、施療者の負担が少なく、高い施療効果が得られる。
【発明を実施するための最良の形態】
【００１０】
外周面が凹凸に形成されたマッサージ体として、ゴルフボールのロストボールを利用する。
【実施例１】
【００１１】
図１及び図２は本発明の第１の実施例を示す。このマッサージ器１（１）は、ゴルフボールからなる複数個（この実施例では５個）のマッサージ体２，…と、これら複数のマッサージ体２，…の中心を通る貫通孔に挿通され、各マッサージ体２，…を回転自在に支持する可撓性を有する支持軸３と、該支持軸の両端部にそれぞれ固定して取り付けられたゴルフボール製の一対の把手４，４とで構成されている。各マッサージ体２，…は、スペーサ等（図示せず）を介して互いに若干の隙間を設けて配置され、支持軸３に嵌着したリング部材３ａ，３ａにより支持軸３の軸方向への移動が規制されている。
【００１２】
マッサージ体２は、外周面が凹凸に形成された略球状のものとされ、形状、大きさ、及び質感等の点からゴルフボールが好適である。ゴルフ場のロストボールを使用すれば、安価に供給することができ、資源の無駄がない。把手４は手で掴むことができればどのようなものであってもよいが、把手４をゴルフボールとした場合には後で説明する利点を有する。
【００１３】
図２は、マッサージ器１（１）を用いて、被施療者本人が自らのふくらはぎをマッサージする状態を示している。被施療者は、マッサージ器１（１）の把手４，４を両手で掴んで持ち、マッサージ体２，…をふくらはぎ１０に当てた状態でマッサージ器１（１）を上下に移動させる。これにより、マッサージ体２，…が転動しながらふくらはぎ１０をマッサージする。このとき、図示のように、マッサージ器２をふくらはぎ１０に沿わせて湾曲させておくと、ふくらはぎ１０の周囲を同時にマッサージすることができ、効率的である。マッサージ体２は外周面が凹凸に形成された略球状をしているため、マッサージ体２が点で患部に接し、患部に刺激を集中して与えることができる。また、外周面の凹凸により効果的に刺激を与えることができる。両手でマッサージ器１（１）をつかんで施療行為を行うため、マッサージ体２，…による患部への加圧加減の調整が容易であり、腕にかかる負担が少ない。
【００１４】
このマッサージ器１（１）は、１本の支持軸３に複数のマッサージ体２，…が１列に支持されている構成であるため、小型軽量であり、全体を湾曲させやすいという特徴がある。このため、被施療者本人がふくらはぎ、大腿部、首筋等の湾曲した患部にマッサージを行うのに特に適している。背中等の平面状の患部へのマッサージにも使用できる。把手４，４がマッサージ体２と同様にゴルフボールであるため、施療者本人が施療行為を行う際、同時に把手４，４により掌をマッサージすることができる。
【実施例２】
【００１５】
図３及び図４は第２の実施例を示す。このマッサージ器１（２）は、２本の支持軸３Ａ，３Ｂに複列のマッサージ体２，…を設けたものである。図示例では、両支持軸３Ａ，３Ｂにはそれぞれ４個と５個のマッサージ体２，…が支持されており、両列のマッサージ体２，…が互いに千鳥状に配置されている。両支持軸３Ａ，３Ｂの両端は連結板５，５で連結されている。連結板５，５に対して支持軸３Ａ，３Ｂが回転自在になっているため、両支持軸３Ａ，３Ｂは互いに捩れ方向に可動である。支持軸３Ａの把手４Ａ，４Ａはいずれも棒状である。支持軸３Ｂについては、一方の把手４ＢＡはゴルフボールであり、もう一方の把手４ＢＢは傘の柄に似たフック状をしている。
【００１６】
図４は、マッサージ器１（２）を用いて、背中をマッサージする状態を示している。フック状の把手４ＢＢを柱、机の脚１１等に引っ掛けて固定し、その反対側の把手４ＢＡを片手で掴み、その手を上下に動かしつつそれに合わせて上体を上下動させることにより、背中をマッサージする。マッサージ体２が複列設けられているため、背中のような広い患部を効率良くマッサージすることができる。マッサージ体２が球形であるため、肩甲骨の下側部分等のような凹んだ箇所もマッサージできる。また、複数のマッサージ体２,…が可撓性を有する支持軸３Ａ，３Ｂに回転自在に支持され、かつ両支持軸３Ａ，３Ｂが互いに捩れ方向に可動であるため、身体の外面形状に沿わせて各マッサージ体２，…を患部に接触させることができ、施療効果の高いマッサージを行うことができる。
【００１７】
このマッサージ器１（２）は、マッサージ体２，…が複列設けられてマッサージ効率が良いので、背中、大腿部等の比較的施療面積の広い患部のマッサージに適している。図４のようにフック状の把手４ＢＢを他の器物に引っ掛けることにより、他人の助けを借りずに容易に背中や腰のマッサージを行うことができる。身体の柔軟な人であれば、被施療者本人が両手で把手４Ａ，４ＢＡ，４ＢＢを掴んで背中や腰のマッサージを行うこともできる。
【実施例３】
【００１８】
図５は第３の実施例を示す。このマッサージ器１（３）は、３本の支持軸３Ａ，３Ｂ，３Ｃに複列のマッサージ体２，…を設けたものである。各列のマッサージ体２，…が互いに千鳥状に配置されている。各支持軸３Ａ，３Ｂ，３Ｃの両端は連結板５，５で連結されている。各支持軸３Ａ，３Ｂ，３Ｂは互いに捩れ方向に可動である。把手は、棒状のもの４Ａ，４ＢＡ，４Ｃと、フック状のもの４ＢＢとが設けられている。
【００１９】
このマッサージ器１（３）は、実施例２と同様に使用することができ、同様の作用効果が得られる。実施例２よりもマッサージ体２の列数を多くしたので、さらにマッサージ効率が向上している。
【産業上の利用可能性】
【００２０】
上記各実施例ではマッサージ体をゴルフボールとしたが、マッサージ体は、外周面が凹凸に形成された略球状のものであればよく、ゴルフボール以外のものを使用してもよい。
【図面の簡単な説明】
【００２１】
【図１】マッサージ器の斜視図である。（実施例１）
【図２】マッサージ器の使用状態を示す図である。（実施例１）
【図３】マッサージ器の斜視図である。（実施例２）
【図４】マッサージ器の使用状態を示す図である。（実施例２）
【図５】マッサージ器の斜視図である。（実施例３）
【符号の説明】
【００２２】
１（１），１（２），１（３）  マッサージ器
２  マッサージ体
３，３Ａ，３Ｂ，３ｃ  支持軸
４，４Ａ，４ＢＡ，４ＢＢ，４Ｃ  把手
５  連結板
【図１】
2007222229.tif 000003
【図２】
2007222229.tif 000004
【図３】
2007222229.tif 000005
【図４】
2007222229.tif 000006
【図５】
2007222229.tif 000007